(57)【要約】【課題】火力、原子力及び水力等を利用した発電とは異なる新たな発電方法等を提供することができる。【解決手段】氷又はボールの位置エネルギーを利用して発電することを特徴とする発電方法。氷は、自然に凝固した氷とすることができる。山等の傾斜面に固定される２本のレール２と、２本のレール２の間に軸受を介して複数介装されるシャフト３と、各シャフト３の両端に固定されるローラ４と、各シャフト３の中央部に複数固定される弾性体５と、ローラ４に当接するように固定される発電機６とを備える発電装置１において、レール２の頂部から氷を滑落させ、氷をシャフト３及び弾性体５に当接させることでシャフト３を回転させ、シャフト３の回転によってローラ４が回転し、このローラ４の回転を発電機６に伝達して発電を行う発電方法。ローラ４及び発電機６は、１本のシャフトに複数設けることもできる。【選択図】図１
2014066240.tif 000002
【特許請求の範囲】
【請求項１】
氷又はボールの位置エネルギーを利用して発電することを特徴とする発電方法。
【請求項２】
前記氷は、自然に凝固した氷であることを特徴とする請求項１に記載の発電方法。
【請求項３】
氷が滑落又は自由落下する、又はボールが転落又は自由落下する案内路と、
該案内路上に設けられ、前記氷又はボールに当接して被動する被動体と、
該被動体の運動エネルギーを電気エネルギーに変換する発電機とを備えることを特徴とする発電装置。
【請求項４】
前記案内路は、傾斜面に固定される２本のレールであって、
前記被動体は、前記２つのレールの間に軸受を介して介装されるシャフトと、該シャフトの両端に固定されるローラとで構成される回転体であって、前記レール上に複数配置され、
前記発電機は、前記ローラに連結されることを特徴とする請求項３に記載の発電装置。
【請求項５】
前記シャフトに固着され、該シャフトと共に回転可能な弾性体を備えることを特徴とする請求項４に記載の発電装置。
【請求項６】
前記ローラは、前記シャフト両端の各々に複数固定され、
前記発電機は、該ローラと同数配置されることを特徴とする請求項４又は５に記載の発電装置。
【請求項７】
前記案内路は、傾斜面に固定される２本のレールと、該２本のレールの間に複数介装され、下方に湾曲するシャフトであって、
前記被動体は、各シャフトの中央部に配置され、該シャフトを軸として回転するローラであって、
前記発電機は、前記ローラに連結されることを特徴とする請求項３に記載の発電装置。
【発明の詳細な説明】
【技術分野】
【０００１】
本発明は、発電方法及び発電装置に関し、特に、物体の位置エネルギーを利用した発電方法等に関する。
【背景技術】
【０００２】
従来、火力、原子力及び水力等を利用した発電が行われている。しかし、今般の福島第一原発事故や、近年のエネルギーの脱ＣＯ２化の促進、ダム等の大規模施設に要する設置スペースの確保等の問題から、これらの発電方法とは異なる新たな発電方法が求められていた。
【発明の概要】
【発明が解決しようとする課題】
【０００３】
そこで、本発明は、上記従来の発電方法とは異なる新たな発電方法等を提供することを目的とする。
【課題を解決するための手段】
【０００４】
上記目的を達成するため、本発明は、発電方法であって、氷又はボールの位置エネルギーを利用して発電することを特徴とする。
【０００５】
そして、本発明によれば、氷又はボールの位置エネルギーを利用して発電するため、原発事故等の虞がなく、脱ＣＯ２化を促進することもできる。
【０００６】
上記発電方法において、前記氷として自然に凝固した氷を利用することができる。これにより、従来の水力発電の場合のような雨水を貯留するダム等が不要となり、設備コストを抑えることができる。
【０００７】
また、本発明は、発電装置であって、氷が滑落又は自由落下する、又はボールが転落又は自由落下する案内路と、該案内路上に設けられ、前記氷又はボールに当接して被動する被動体と、該被動体の運動エネルギーを電気エネルギーに変換する発電機とを備えることを特徴とする。
【０００８】
本発明によれば、上述のように、氷又はボールの位置エネルギーを利用して発電するため、原発事故等の虞がなく、脱ＣＯ２化を促進することもできる。
【０００９】
上記発電装置において、前記案内路を、傾斜面に固定される２本のレールとし、前記被動体を、前記２つのレールの間に軸受を介して介装されるシャフトと、該シャフトの両端に固定されるローラとで構成される回転体とすると共に、前記レール上に複数配置し、前記発電機を、前記ローラに連結することができる。これにより、簡単な装置構成で発電装置を構成することができる。
【００１０】
上記発電装置において、前記シャフトに固着され、該シャフトと共に回転可能な弾性体を設けることができ、これにより、より効率よく発電することができる。
【００１１】
上記発電装置において、前記ローラを、前記シャフト両端の各々に複数固定し、前記発電機を、該ローラと同数配置することができ、これにより、より効率よく発電することができる。
【００１２】
また、上記発電装置において、前記案内路を、傾斜面に固定される２本のレールと、該２本のレールの間に複数介装され、下方に湾曲するシャフトとで構成し、前期被動体を、各シャフトの中央部に配置され、該シャフトを軸として回転するローラとし、前記発電機を、前記ローラに連結することもできる。これにより、ボールを転落させる場合に、レールからローラが脱落するのを防止し、効率よく発電することができる。
【発明の効果】
【００１３】
以上のように、本願発明によれば、火力、原子力及び水力等を利用した発電方法とは異なる新たな発電方法等を提供することができる。
【図面の簡単な説明】
【００１４】
【図１】本発明に係る発電装置の第１の実施形態を示す概略図であって、（ａ）は斜め正面図、（ｂ）は側面図である。
【図２】図１に示す発電装置の構成要素を示す概略図であって、（ａ）はシャフトとローラを示す正面図、（ｂ）はシャフト、ローラ及び発電機を示す側面図である。
【図３】本発明に係る発電装置の第２の実施形態を示す概略図であって、（ａ）は斜視図、（ｂ）は正面断面図である。
【発明を実施するための形態】
【００１５】
次に、本発明を実施するための形態について図面を参照しながら詳細に説明する。
【００１６】
図１は、本発明に係る発電装置の第１の実施形態を示し、この発電装置１は、山等の傾斜面に固定される２本のレール（案内路）２と、２本のレール２の間に軸受（不図示）を介して複数回転可能に介装されるシャフト３と、各シャフト３の両端に固定されるローラ４と、各シャフト３に固着され、シャフト３と共に回転する円筒状の弾性体５と、ローラ４に当接するように固定される発電機（図２参照）６（６ａ〜６ｃ）とで構成される。尚、シャフト３、ローラ４及び弾性体５とで被動体を構成している。
【００１７】
図２に示すように、ローラ４は、内ローラ４ａ、中ローラ４ｂ、外ローラ４ｃの３つからなり、１本のシャフト３に計６つ固定される。
【００１８】
弾性体５は、円筒状に形成され、中心部をシャフト３が貫通し、シャフト３に固着されることでシャフト３と共に回転する。この弾性体５は、シャフト３を保護すると共に、氷の滑落に伴うシャフト３の回転を助長する。
【００１９】
発電機６は、例えば自転車のライトに用いられるダイナモのような簡易な構成のものを利用することができる。図２に示すように、この発電機６は、内ローラ４ａの回転が伝達される内側発電機６ａ、中ローラ４ｂの回転が伝達される中央発電機６ｂ、及び外ローラ４ｃの回転が伝達される外側発電機６ｃの計３つからなり、１本のシャフト３の近傍に計６つ固定される。
【００２０】
次に、上記構成を有する発電装置１の動作について、図面を参照しながら説明する。尚、この発電装置１は、北極、南極はもちろん、自然に氷を得ることのできる寒冷地に設置されることが好ましく、後述の説明において、氷とは、これらの地域によって自然に凝固した氷を指す。
【００２１】
レール２の頂部から氷を滑落させると、氷が弾性体５に当接することでシャフト３が回転し、ローラ４（４ａ〜４ｃ）が回転する。次に、ローラ４（４ａ〜４ｃ）の回転が発電機６（６ａ〜６ｃ）に伝達されて発電される。発電した電気は、送電線等を通じて外部へ送電することができる。
【００２２】
尚、上記実施の形態において、発電装置１は、寒冷地で自然に凝固した氷を利用することが好ましいが、レール２の頂部から滑落させる氷が不足している場合には、レール２の頂部へポンプにより水を汲み上げ、汲み上げた水を凝固させて得られた氷を利用することもできる。
【００２３】
次に、本発明に係る発電装置の第２の実施形態について、図３を参照しながら説明する。
【００２４】
図３は、本発明に係る発電装置の第２の実施形態を示し、この発電装置１１は、山等の傾斜面に固定される２本のレール１２と、２本のレール１２の間に下方に湾曲するように複数介装されるシャフト１３と、各シャフト１３の中央部に軸受（不図示）を介して回転可能に固定されるローラ１４と、ローラ１４に当接するように固定される発電機１６とで構成される。尚、レール１２と、シャフト１３が案内路であって、ローラ１４が被動体である。
【００２５】
ローラ１４や、発電機１６の構成は、図１に示すものと同様である。上記構成を有する発電装置１１において、レール１２上にボールＢを転がすことにより、ローラ１４を回転させ、発電機１６にて発電を行うことができる。
【００２６】
ここで、ボールＢは、スポーツのボーリングで使用するボール等を利用することができる。内部に発光手段や電源が固定された透明のものを転がすことにより、シンボリックな雰囲気を醸し出すこともできる。この発光手段を点灯させる電力は、発電機１６によって発電された電力により賄うことができる。尚、市販されているＵｎｃｈａｇｅｄ  Ｐｌａｙ社製のＳＯＣＣＫＥＴというボールのように、使用することで内部に充電可能なボールを利用すれば、ローラ１４や発電機１６を設けることなく、ボールＢの自転により発電し、上記発光手段を発光させることもできる。
【００２７】
尚、上記実施の形態では、レール、ローラ及び簡易型の発電機等を用いて発電したが、氷が滑落又は自由落下する、又はボールが転落又は自由落下する案内路と、案内路上に設けられて氷又はボールに当接して被動する被動体と、被動体の運動エネルギーを電気エネルギーに変換する発電機とを備え、氷又はボールの位置エネルギーを利用して発電することができれば、その他の構造を有する発電装置を用いてもよい。
【符号の説明】
【００２８】
１  発電装置
２  レール
３  シャフト
４  ローラ
４ａ  内ローラ
４ｂ  中ローラ
４ｃ  外ローラ
５  弾性体
６  発電機
６ａ  内側発電機
６ｂ  中央発電機
６ｃ  外側発電機
１１  発電装置
１２  レール
１３  シャフト
１４  ローラ
１６  発電機
Ｂ  ボール
【図１】
2014066240.tif 000003
【図２】
2014066240.tif 000004
【図３】
2014066240.tif 000005